(57)【特許請求の範囲】
【請求項１】
液体包装容器の開口に溶着される注出口栓であって、
スパウトと、
前記スパウトに取り付けられるキャップとを備え、
前記スパウトは、
円筒状の側壁と、
前記側壁の一方端から外側に突出するように設けられ、前記液体包装容器の開口に溶着されるフランジ状の接続部と、
前記接続部より前記側壁の他方端側における前記側壁の外面に、前記側壁の周方向に間欠的に設けられる複数の突起と、
前記側壁の前記一方端側の端面に周方向に連続的に設けられる凹状の肉盗み部と、
前記肉盗み部の内面を掛け渡し、前記側壁の周方向において少なくとも前記突起と対応する位置に設けられる複数のリブとを備える、注出口栓。
【請求項２】
前記側壁の内側を閉塞する隔壁と、
前記側壁の前記一方端側に位置する前記隔壁の一方面に周方向に連続的に形成される薄肉部と、
前記隔壁の他方面に設けられ、前記薄肉部に囲まれた前記隔壁の一部を引き抜くためのプルリングとを更に備える、請求項１に記載の注出口栓。
【請求項３】
前記突起は、前記側壁の周方向において等間隔に４つ以上形成される、請求項１または２に記載の注出口栓。
【請求項４】
請求項１〜３のいずれかに記載の注出口栓と、
前記注出口栓が溶着される紙製容器とを備える包装容器。
【発明の詳細な説明】
【技術分野】
【０００１】
本発明は、紙パック等の開口に取り付けられる注出口栓および注出口栓が取り付けられた包装容器に関する。
【背景技術】
【０００２】
飲料等の液体内容物を包装する包装容器には、例えば、使用時の使い勝手を考慮して、紙製容器等に注出口栓を設けたものが広く用いられている。
【０００３】
図４は、注出口栓が取り付けられた包装容器の斜視図である。
【０００４】
図４に示す包装容器１０１は、紙製容器１０２の開口に注出口栓１０３が溶着されたものである。注出口栓１０３は、紙製容器１０２に溶着されるスパウト１０４と、スパウト１０４に螺着するキャップ１０５とからなり、キャップ１０５を脱着することで包装容器１０１を自在に開閉できる。
【０００５】
図５は、従来例に係るスパウトの断面図であり、図６は、図５に示すスパウトを下方向から見た平面図である。
【０００６】
スパウト１０４は、円筒形状の側壁１４１と、側壁１４１の下端から外側に向かって全周に設けられる接続部１４２と、側壁１４１の外面に周方向に等間隔に４つ設けられる紙押さえ用の突起１４３と、側壁１４１の下端側の端面に全周に渡って形成される凹状の肉盗み部１４４と、側壁１４１の内面を閉塞する隔壁１４６と、隔壁１４６の下面に全周に渡って形成される薄肉部１４７と、隔壁１４６上面に接続されているプルリング１４８とからなる。使用時には、プルリング１４８を図の上方向に引っ張ることで、薄肉部１４７に囲まれた隔壁１４６の一部を引き抜いて、スパウト１０４を開封することができる。
【０００７】
スパウト１０４を紙製容器１０２の開口に溶着するには、まず、側壁１４１を紙製容器１０２の開口に挿入し、接続部１４２の上面を紙製容器１０２の内面に宛がう。この時、突起１４３と接続部１４２との間に紙製容器１０２の開口周辺部分を挟み込むことで、スパウト１０４が紙製容器１０２に仮留めされる。そして、紙製容器１０２の内部に挿入したアンビルと超音波ホーン（共に図示せず）を接続部１４２と重なっている紙製容器１０２上に宛がい超音波振動を発生させて、紙製容器１０２と接続部１４２とを熱溶着させる。発生した振動は、接続部１４２から、側壁１４１を通り、隔壁１４６に伝わるが、肉盗み部１４４によって振動の一部が吸収される。これにより、部分的に薄肉形状となる薄肉部１４７において、クラック等の発生が抑制される。
【先行技術文献】
【特許文献】
【０００８】
【特許文献１】特開２００４−６７１０１号公報
【特許文献２】特開２００３−７２８１７号公報
【特許文献３】特開平１１−２２７８１７号公報
【発明の概要】
【発明が解決しようとする課題】
【０００９】
図７は、紙製容器に溶着した後の従来例に係るスパウトの断面図であり、図８は、図７に示すスパウトの下面図である。
【００１０】
上述したように、肉盗み部１４４を設けることで薄肉部１４７部分のクラックの発生は抑制することができる。しかし、超音波溶着時における紙製容器２の振動が突起１４３を振動させ、突起１４３付近の超音波振動が増幅される。これにより、図７および８に示すように、突起１４３付近の、特に肉盗み１４４の周辺が溶融して熱変形を引き起こし、スパウト１０４の強度が低下するという問題が発生する。
【００１１】
それ故に、本発明は、注出口栓と紙容器との超音波溶着時において、スパウトに設けられる紙押さえ用の突起付近の熱変形を抑制することができる注出口栓を提供することを目的とする。
【課題を解決するための手段】
【００１２】
本発明は、液体包装容器の開口に溶着される注出口栓に関する。注出口栓は、スパウトと、スパウトに取り付けられるキャップとを備える。スパウトは、円筒状の側壁と、側壁の一方端から外側に突出するように設けられ、液体包装容器の開口に溶着されるフランジ状の接続部と、接続部より側壁の他方端側における側壁の外面に、側壁の周方向に間欠的に設けられる複数の突起と、側壁の一方端側の端面に周方向に連続的に設けられる凹状の肉盗み部と、肉盗み部の内面を掛け渡し、側壁の周方向において少なくとも突起と対応する位置に設けられる複数のリブとを備える。
【発明の効果】
【００１３】
本発明の注出口栓を用いると、注出口栓と紙製容器との超音波溶着時における、スパウトに設けられる紙押さえ用の突起付近の熱変形を抑制することができる。
【図面の簡単な説明】
【００１４】
【図１】本発明の実施形態に係るスパウトの断面図
【図２】図１に示すスパウトの下面図
【図３】紙製容器に溶着した後のスパウトの下面図
【図４】注出口栓が取り付けられた紙製容器の斜視図
【図５】従来例に係るスパウトの断面図
【図６】図５に示すスパウトの下面図
【図７】紙製容器に溶着した後の従来例に係るスパウトの断面図
【図８】図７に示すスパウトの下面図
【発明を実施するための形態】
【００１５】
（実施形態）
図１は、本発明の実施形態に係るスパウトの断面図であり、図２は、図１に示すスパウトの下面図である。
【００１６】
本発明の実施形態に係る注出口栓は、スパウト４と、スパウト４に螺着されるキャップ（図示せず）とを備える。スパウト４は、円筒状の側壁４１と、側壁４１の一方端（図１の下側）から外側（図１の左右方向）に突出するように設けられるフランジ状の接続部４２と、接続部４２より他方端側（図１の上側）における側壁４１の外面に、側壁４１の周方向に等間隔に設けられる４つの紙押さえ用の突起４３と、側壁４１の一方端側の端面（図１下側の端面）に周方向に連続的に設けられる凹状の肉盗み部４４と、肉盗み部４４の内面を掛け渡し、側壁４１の周方向において突起４３と対応する位置に設けられる４つのリブ４５とを備える。更に、側壁４１の内側にはスパウト４を閉塞する隔壁４６と、側壁４１の一方端側に位置する隔壁４６の一方面（図１の下側面）に周方向に連続的に形成される薄肉部４７と、隔壁４６の他方面に設けられ、薄肉部４７に囲まれた隔壁４６の一部を引き抜くためのプルリング４８とを備える。また、側壁４１の外面には、キャップを螺着するためのネジ山が形成されている。スパウトは、例えば、低密度ポリエチレン（ＬＤＰＥ）を用いて一体成形することで作製される。キャップは、例えば、ポリプロピレン（ＰＰ）を用いて成形することで作製される。
【００１７】
図３は、紙製容器に溶着した後のスパウトの下面図である。
【００１８】
スパウト４を紙製容器２の開口に溶着するには、先述したように、スパウト４を紙製容器２の開口にセットし、超音波溶着ホーン（図示せず）を接続部４２上の紙製容器２に宛がい超音波振動を発生させる。この時、突起４３が振動することで、突起４３付近で超音波振動が増幅される。
【００１９】
肉盗み部４４には、４つのリブ４５が側壁４１の周方向において突起４３と対応する位置に配置され、肉盗み部４４の各々とリブ４５の各々とが径方向に整列している。このように、リブ４５が突起４３付近の肉盗み部４４の内面を固定しているため、図３に示すように、超音波溶着時における超音波振動が突起４３で増幅された場合であっても、肉盗み部４４周りの熱変形を効果的に抑制することができる。この結果、スパウト４の強度低下を招くことがない。
【００２０】
以上のように、本実施形態に係る注出口栓を用いると、スパウト４の熱変形を効果的に抑制しながら紙製容器２にスパウト４を超音波溶着することが可能となる。
【００２１】
尚、本実施形態では、スパウトは隔壁、薄肉部およびプルリングを備えているが、これらが無くても、超音波溶着時における熱変形を抑制するという本願発明の効果を発揮することは可能である。
【００２２】
また、本実施形態では、スパウトには突起およびリブが周方向に等間隔に４つ形成されているが、突起が周方向に間欠的に複数設けられ、更にリブが周方向において突起と対応する位置に形成されているなら、特に限定されない。例えば、突起およびリブは各々５つ以上あっても良いし、更に、少なくとも突起と対応してリブが対置されていれば、リブの数を突起の数より多くしても良い。更に、突起は、大小２種類のように、大きさの異なる組み合わせからなっていても良い。
【００２３】
更に、本実施形態では、キャップはスパウトに羅着する構造を採用しているが、注出口栓を開閉できる構造であれば特に限定されない。例えば、キャップの内面でスパウトの外面を密着するように単に覆い被せる構造やキャップとスパウトとが嵌合する構造を採用しても良い。
【００２４】
更に、本実施形態では、一例として、スパウトをＬＤＰＥで成形し、キャップをＰＰで成形しているが、これらに限定されず、他の樹脂を用いて良い。
【００２５】
更に、本実施形態では、紙製容器を用いているが、液体の内容物を封入できるものであれば特に限定されない。例えば、樹脂製容器を用いても良い。
【産業上の利用可能性】
【００２６】
本発明は、液体を封入する紙製容器等の開口に超音波溶着される注出口栓に用いることができる。
【符号の説明】
【００２７】
２  紙製容器
４  スパウト
４１  側壁
４２    接続部
４３  突起
４４  肉盗み部
４５  リブ
４６  隔壁
４７  薄肉部
４８  プルリング
【図１】
0005402563.tif 000002
【図２】
0005402563.tif 000003
【図３】
0005402563.tif 000004
【図４】
0005402563.tif 000005
【図５】
0005402563.tif 000006
【図６】
0005402563.tif 000007
【図７】
0005402563.tif 000008
【図８】
0005402563.tif 000009